(57)【要約】【課題】使用者がシャワーヘッドを手に持って使用し、吐止水の操作を行うに際してシャワーヘッドを手に持つ際の持ち手の位置に制約が無く、使い勝手が良好であり、また不必要にシャワー水を出し続けてしまって無駄に水を消費してしまう問題を解決可能なハンドシャワー装置を提供する。【解決手段】ハンドシャワー装置において、シャワーヘッド１０における握り部１１の表面側の部分を、使用者の握りの力で操作されるグリップ操作部７６として構成し、グリップ操作部７６に握りの力が操作力として加えられることでパイロット弁６４を開弁させるとともに、操作力が加えられている間だけパイロット弁６４を開弁状態に保持してシャワー吐水口２０から吐水させ、グリップ操作部７６への操作力が解除されることでパイロット弁６４を閉弁させ、吐水停止させるようにする。【選択図】        図１
2013215454.tif 000002
【特許請求の範囲】
【請求項１】
(ａ)可撓性のシャワーホースの先端部に接続されたシャワーヘッドと、(ｂ)該シャワーホースを通じて該シャワーヘッドに給水を行う主水路上に設けられて該主水路を開閉する主弁と、(ｃ)該主弁の背後に形成され、内部の水の圧力を該主弁に対する閉弁方向の押圧力として作用させる背圧室と、(ｄ)前記主水路における前記主弁の上流側の水を該背圧室に導入し、該背圧室の圧力を増大させる導入小孔と、(ｅ)該背圧室の水を前記主水路における前記主弁の下流側に流出させる水抜水路としてのパイロット水路と、(ｆ)操作部の操作に連動して該パイロット水路を開閉するパイロット弁と、を有し、該パイロット弁の開閉により前記主弁を開閉させて前記シャワーヘッドの先端部に備えられた吐水口からの吐水と止水とを行うハンドシャワー装置において、
前記シャワーヘッドにおける握り部の表面側の部分を、使用者の握りの力で操作されるグリップ操作部として構成し、該グリップ操作部に設定以上の大きさの前記握りの力が操作力として加えられることで前記パイロット弁を開弁させるとともに、該操作力が加えられている間だけ該パイロット弁を開弁状態に保持して前記吐水口から吐水させ、該グリップ操作部への前記操作力が解除されることで該パイロット弁を閉弁させ、吐水停止させることを特徴とするハンドシャワー装置。
【請求項２】
請求項１において、前記パイロット弁が前記シャワーヘッドの内部に設けてあり、また前記グリップ操作部が前記操作力で径方向内方に押し込まれて移動するものとなしてあって、
該パイロット弁が閉弁方向に、該グリップ操作部が径方向外方にばねにてそれぞれ付勢してあり、
該グリップ操作部と該パイロット弁との間には、該グリップ操作部の押込みによる移動を該パイロット弁の開弁方向の移動に変換する運動変換機構が設けてあり、
該グリップ操作部は前記操作力の解除によって前記ばねの付勢力で径方向外方に移動して操作前の原位置に復帰し、
該グリップ操作部の該原位置への復帰により、前記パイロット弁が前記ばねの付勢力で閉弁するものとなしてあることを特徴とするハンドシャワー装置。
【請求項３】
請求項２において、前記シャワーヘッドには、前記パイロット弁を閉弁方向に付勢する前記ばねの変位量を変化させ、該パイロット弁に対する該ばねの閉弁方向の付勢力を調節する調節機構が設けてあることを特徴とするハンドシャワー装置。
【請求項４】
請求項３において、前記パイロット弁が前記シャワーヘッドの軸方向に移動して開閉動作するものとなしてあるとともに、前記調節機構が、該シャワーヘッドの周方向に回転する調節操作部材と、該調節操作部材の回転により該シャワーヘッドの軸方向に進退移動して前記ばねの変位量を変化させる進退部材とを含んで構成してあることを特徴とするハンドシャワー装置。
【発明の詳細な説明】
【技術分野】
【０００１】
この発明はハンドシャワー装置に関し、詳しくはパイロット弁を開閉させることで主弁を開閉させ、シャワーヘッドの先端部に備えられた吐水口からシャワーを吐止水するハンドシャワー装置に関する。
【背景技術】
【０００２】
従来、ハンドシャワー装置として、(ａ)可撓性のシャワーホースの先端部に接続されたシャワーヘッドと、(ｂ)シャワーホースを通じてシャワーヘッドに給水を行う主水路上に設けられて主水路を開閉する主弁と、(ｃ)主弁の背後に形成され、内部の水の圧力を主弁に対する閉弁方向の押圧力として作用させる背圧室と、(ｄ)主水路における主弁の上流側の水を背圧室に導入し、背圧室の圧力を増大させる導入小孔と、(ｅ)背圧室の水を主水路における主弁の下流側に流出させる水抜水路としてのパイロット水路と、(ｆ)パイロット水路を開閉するパイロット弁と、を有し、シャワーヘッドに備えられた手元操作部としての押ボタン操作部を操作することで、かかる押ボタン操作部の操作に連動してパイロット弁を開閉させ、これにより主弁を開閉させてシャワーヘッドの先端部に備えられた吐水口からの吐水と止水とを行うようになしたハンドシャワー装置が公知である。
【０００３】
例えば下記特許文献１及び下記特許文献２に、この種のハンドシャワー装置が開示されている。
これら特許文献に開示のハンドシャワー装置の場合、使用者がシャワーヘッドを手に持ったまま、押ボタン操作部を操作することで、シャワーヘッドに備えた吐水口からの吐水と止水とを行うことができ、利便性が高い。
しかしながらこのように押ボタン操作部を操作して吐水と止水とを行う場合、使用者は押ボタン操作部に指がかかるようにしてシャワーヘッドを手に持つ必要があり、必然的に持ち手の位置が限られてしまって、好みの位置でシャワーヘッドを持つといったことができず、或いは押ボタン操作部を操作する際にシャワーヘッドを持ち替えなければならないといった不便さがある。
また例えば洗髪中などの目を瞑った状態でシャワーヘッドを手に持って吐止水を行う場合、押ボタン操作部を手探りで探し出す必要があり、速やかに吐水或いは止水を行うことが難しいといった問題がある。
【０００４】
加えてこれら特許文献１，特許文献２に開示のハンドシャワー装置の場合、一旦押ボタン操作部を押込操作すると、押ボタン操作部から手を離しても吐水状態を継続し、その後に再び押ボタン操作部を操作することで、そこで初めて吐水停止するものであるため、シャワー水使用後に止水のための押ボタン操作部の操作を怠るとそのままシャワー水が出続けてしまい、無駄に水を消費してしまうといった問題がある。
【先行技術文献】
【特許文献】
【０００５】
【特許文献１】特開２００１−１１９１３号公報
【特許文献２】特開２００７−７０２６号公報
【発明の概要】
【発明が解決しようとする課題】
【０００６】
本発明は以上のような事情を背景とし、使用者がシャワーヘッドを手に持って使用し、吐止水の操作を行うに際してシャワーヘッドを手に持つ際の持ち手の位置に制約が無く、使い勝手が良好であり、また不必要にシャワー水を出し続けてしまって無駄に水を消費してしまう問題を解決可能なハンドシャワー装置を提供することを目的としてなされたものである。
【課題を解決するための手段】
【０００７】
而して請求項１のものは、(ａ)可撓性のシャワーホースの先端部に接続されたシャワーヘッドと、(ｂ)該シャワーホースを通じて該シャワーヘッドに給水を行う主水路上に設けられて該主水路を開閉する主弁と、(ｃ)該主弁の背後に形成され、内部の水の圧力を該主弁に対する閉弁方向の押圧力として作用させる背圧室と、(ｄ)前記主水路における前記主弁の上流側の水を該背圧室に導入し、該背圧室の圧力を増大させる導入小孔と、(ｅ)該背圧室の水を前記主水路における前記主弁の下流側に流出させる水抜水路としてのパイロット水路と、(ｆ)操作部の操作に連動して該パイロット水路を開閉するパイロット弁と、を有し、該パイロット弁の開閉により前記主弁を開閉させて前記シャワーヘッドの先端部に備えられた吐水口からの吐水と止水とを行うハンドシャワー装置において、前記シャワーヘッドにおける握り部の表面側の部分を、使用者の握りの力で操作されるグリップ操作部として構成し、該グリップ操作部に設定以上の大きさの前記握りの力が操作力として加えられることで前記パイロット弁を開弁させるとともに、該操作力が加えられている間だけ該パイロット弁を開弁状態に保持して前記吐水口から吐水させ、該グリップ操作部への前記操作力が解除されることで該パイロット弁を閉弁させ、吐水停止させることを特徴とする。
【０００８】
請求項２のものは、請求項１において、前記パイロット弁が前記シャワーヘッドの内部に設けてあり、また前記グリップ操作部が前記操作力で径方向内方に押し込まれて移動するものとなしてあって、該パイロット弁が閉弁方向に、該グリップ操作部が径方向外方にばねにてそれぞれ付勢してあり、該グリップ操作部と該パイロット弁との間には、該グリップ操作部の押込みによる移動を該パイロット弁の開弁方向の移動に変換する運動変換機構が設けてあり、該グリップ操作部は前記操作力の解除によって前記ばねの付勢力で径方向外方に移動して操作前の原位置に復帰し、該グリップ操作部の該原位置への復帰により、前記パイロット弁が前記ばねの付勢力で閉弁するものとなしてあることを特徴とする。
【０００９】
請求項３のものは、請求項２において、前記シャワーヘッドには、前記パイロット弁を閉弁方向に付勢する前記ばねの変位量を変化させ、該パイロット弁に対する該ばねの閉弁方向の付勢力を調節する調節機構が設けてあることを特徴とする。
【００１０】
請求項４のものは、請求項３において、前記パイロット弁が前記シャワーヘッドの軸方向に移動して開閉動作するものとなしてあるとともに、前記調節機構が、該シャワーヘッドの周方向に回転する調節操作部材と、該調節操作部材の回転により該シャワーヘッドの軸方向に進退移動して前記ばねの変位量を変化させる進退部材とを含んで構成してあることを特徴とする。
【発明の作用・効果】
【００１１】
以上のように本発明は、シャワーヘッドにおける握り部の表面側の部分を使用者の握りの力で操作されるグリップ操作部として構成し、グリップ操作部に設定以上の大きさの握りの力が操作力として加えられることでパイロット弁を開弁させ、且つその操作力が加えられている間だけパイロット弁を開弁状態に保持して吐水口からシャワー吐水させ、またその操作力が解除されることでパイロット弁を閉弁させてシャワー吐水を停止、即ち止水させるようになしたものである。
【００１２】
かかる本発明のハンドシャワー装置では、使用者がシャワーヘッドの握り部を握り、一定以上の力を加えるだけでパイロット弁の開弁によりシャワーヘッドの吐水口から吐水させることができる。
またその握り部から手を離すだけでパイロット弁を閉弁させ、シャワーヘッドの吐水口からの吐水を停止させることができる。
【００１３】
従って本発明のハンドシャワー装置では、使用者がシャワーヘッドを手に持ってこれを使用する際、単にシャワーヘッドの握り部を握って力を加えるだけで良く、従来のハンドシャワー装置のように特定の個所に設けた押ボタン操作部に指をかけて、これを操作するといったことを必要としない。
即ち一旦シャワーヘッドを手に取った後、吐水操作のためにシャワーヘッドを持ち換える必要がなく、手に取った握り部に即ちその表面側のグリップ操作部に力を加えるだけで、簡単に吐水操作を行うことができる。
また止水に際しては、単に握り部から手を離すだけで自動的に止水を行うことができる。
従って、例えば洗髪中など目を瞑った状態の下でも、単にシャワーヘッドの握り部を握って力を加えたり握り部から手を離すだけで吐水口からの吐止水を行うことができ、更に指の不自由な人であっても支障無くシャワーヘッドを手に持って吐止水操作を行うことができ、使い勝手良くハンドシャワー装置を使用することができる。
【００１４】
また従来のハンドシャワー装置では、一旦押ボタン操作部を操作してシャワー吐水させると、その状態が保持されてシャワー水が吐水され続けるが、本発明のハンドシャワー装置では、シャワーヘッドから手を離すと自動的に吐水停止されるため、無駄にシャワー水を吐水し続けてしまうといったことを有効に防ぐことができ、節水を図ることができる。
【００１５】
本発明では、パイロット弁をシャワーヘッドの内部に設け、またグリップ操作部を、上記の操作力で径方向内方に押し込まれて移動するものとなしておき、そしてそのパイロット弁を閉弁方向に、グリップ操作部を径方向外方にばねにてそれぞれ付勢しておくことができる。
またグリップ操作部とパイロット弁との間には、グリップ操作部の押込みによる移動をパイロット弁の開弁方向の移動に変換する運動変換機構を設け、そしてグリップ操作部は、上記操作力の解除によって上記ばねの付勢力で径方向外方に移動して操作前の原位置に復帰するものとし、そしてそのグリップ操作部の原位置への復帰によって、パイロット弁をばねの付勢力で閉弁するようになしておくことができる（請求項２）。
このようにすれば、グリップ操作部に握りの力による操作力を加えている間だけシャワーヘッドの吐水口から吐水し、またグリップ操作部に加えていた操作力を解除することで吐水停止するハンドシャワー装置を簡単な構造で容易に構成することができる。
【００１６】
この場合において、シャワーヘッドには、パイロット弁を閉弁方向に付勢する上記ばねの変位量を変化させ、パイロット弁に対するばねの閉弁方向の付勢力を調節する調節機構を設けておくことができる（請求項３）。
このようにすれば、パイロット弁を開弁させるのに必要な、グリップ操作部に加えるべき操作力を適正な操作力に調節することができ、シャワー吐水の意図がないにも拘らずグリップ操作部を軽く持っただけで、特に握りの力を加えなくてもシャワー吐水してしまうといったことを防ぐことができ、ハンドシャワー装置を使用する際の使用感を良好とすることができる。
また握力の強い人と弱い人、それぞれに応じて所要の操作力を使用者それぞれに応じた最適の操作力に調節することができる。
【００１７】
上記請求項３の調節機構は、シャワーヘッドの周方向に回転する調節操作部材と、その調節操作部材の回転によりシャワーヘッドの軸方向に進退移動してばねの変位量を変化させる進退部材とを含んで構成しておくことができる（請求項４）。
【図面の簡単な説明】
【００１８】
【図１】本発明の一実施形態であるハンドシャワー装置を示す図面である。
【図２】図１のシャワーヘッドの要部断面図である。
【図３】図１のバルブユニットの断面図である。
【図４】同実施形態における運動変換機構を示した図である。
【図５】同実施形態の作用説明図である。
【図６】本発明の他の実施形態を示す図である。
【図７】本発明の更に他の実施形態を示す図である。
【図８】図７のシャワーヘッドの要部拡大図である。
【図９】本発明の更に他の実施形態を示す図である。
【図１０】本発明の更に他の実施形態を示す図である。
【図１１】同実施形態の作用説明図である。
【図１２】本発明の更に他の実施形態を示す図である。
【発明を実施するための形態】
【００１９】
次に本発明の実施形態を図面に基づいて以下に詳しく説明する。
図１は、本実施形態のハンドシャワー装置の全体構成を示している。
図に示しているようにこの実施形態のハンドシャワー装置は、可撓性のシャワーホース１２の先端部に接続されたシャワーヘッド１０と、シャワーホース１２の他端部に接続されたバルブユニット１４とを有している。
ここでシャワーヘッド１０は、使用者の手によって握られ、保持される握り部１１を有している。
シャワーヘッド１０は、先端部に散水板１６を有しており、そこに多数の散水孔１８からなるシャワー吐水口２０が備えられている。
【００２０】
図３に、バルブユニット１４の内部構造が詳しく示してある。
２２は、バルブユニット１４におけるボデーで、接続口２４を有している。
バルブユニット１４は、この接続口２４において水栓本体の湯水の混合部等に接続されるようになっている。
このバルブユニット１４の内部には、シャワーホース１２を通じてシャワーヘッド１０に給水を行う主水路２６上に、ピストン弁からなる主弁２８が設けられている。
主弁２８は、ボデー２２に設けられた主弁座３０に着座することで閉弁し、主水路２６を遮断する。
また主弁座３０から図中上方に離間することで開弁し、主水路２６を開放する。
流入口３１からボデー２２内部に流入した水は、主弁２８の開弁状態の下で、シャワーヘッド１０のシャワー吐水口２０まで到る主水路２６を通じてシャワー吐水口２０へと送られ、外部にシャワー吐水される。
【００２１】
主弁２８の図中上側の背後には背圧室３２が形成されている。
この背圧室３２は、内部の水の圧力を主弁２８に対し図中下向きの閉弁方向の押圧力として作用させる。
この背圧室３２と、主水路２６における主弁２８の上流側とは小孔から成る導入小孔３６にて連通しており、主水路２６における主弁２８より上流側の水が、この導入小孔３６を通じて背圧室３２へと導入されるようになっている。
背圧室３２の水の圧力は、この導入小孔３６を通じ内部に水が導入されることで上昇せしめられる。
尚、３４はボデー２２の本体部にねじ結合にて脱着可能に結合されたキャップである。
【００２２】
３８は、背圧室３２に連通する状態でシャワーヘッド１０側に延び出した水抜水路としてのパイロット水路で、大部分がシャワーホース１２の内部に挿通された小径のチューブ４０の内側に形成されている。
４２は、ボデー２２の内部に組み込まれたチューブ接続部材で、中心部に小径の筒状部４４を有しており、その筒状部４４に対してチューブ４０が接続されている。
【００２３】
チューブ４０の内側の水路は、この筒状部４４の内側の水路３８ａ、及び主弁２８の中心部を軸方向即ち図中上下方向に貫通する水路３８ｂを通じて背圧室３２と連通している。
即ちこれら水路３８ａ，３８ｂはパイロット水路３８の一部を成している。
尚、筒状部４４と主弁２８とは水密に凹凸嵌合されており、その凹凸嵌合に基づいて筒状部４４と主弁２８とが水密接続されている。
【００２４】
チューブ接続部材４２には、小径の筒状部４４周りに図中上下方向の軸方向に貫通する貫通孔が複数設けられており、それら貫通孔にて形成される水路２６ａが、主水路２６の一部を成している。
ボデー２２の内部にはまた、このチューブ接続部材４２の図中下側位置において、ホース接続部材４６が組み込まれている。
【００２５】
ホース接続部材４６は、ボデー２２から図中下向きに突出する筒状の挿込部４８を備えている。
この挿込部４８には、外周面に断面鋸歯状をなす凸形状部が上下方向に複数設けられている。
上記シャワーホース１２は、この挿込部４８に外挿状態に押し込まれた上、その外周面から固定リング５０にて締め付けられることで挿込部４８に固定されている。
【００２６】
図２に、シャワーヘッド１０の内部構造が詳しく示してある。
同図において、５２はシャワーヘッド１０の本体部５４に一体に構成された弁座保持部で、その内側に筒状をなす弁座部材５６がねじ結合にて組み付けられ、保持されている。
そしてこの弁座部材５６の挿込部５５に対して、チューブ４０が外挿状態に挿込接続されている。
【００２７】
上記のパイロット水路３８は、パイロット水路３８の一部をなす弁座部材５６の中心部の断面円形且つ弁座部材５６を軸方向に貫通する水路３８ｃ，更に弁座保持部５２の上端の開口にて形成される水路３８ｄを経て、シャワーヘッド１０内部の主水路２６へと繋がっている。
尚、弁座保持部５２の周りには軸方向の貫通孔が設けられている。この貫通孔にて形成される内側の水路２６ｂは主水路２６の一部を成している。
【００２８】
上記弁座部材５６は、図中上部に、断面円形の軸状をなすパイロット弁６４の軸心周りに円環状をなすパイロット弁座６０を有している。
このパイロット弁座６０は、内周側にそのシール部であるＯリング６２を保持している。
そしてこのＯリング６２に対してパイロット弁６４が、軸方向に摺動可能に且つ内嵌状態に嵌合するようになっている。
【００２９】
而してパイロット弁６４がパイロット弁座６０詳しくはＯリング６２に嵌合した状態で、図２の部分拡大図に示しているように、パイロット弁６４とパイロット弁座６０との間が径方向に水密にシールされ、パイロット弁６４が閉弁状態となる。
また図５の部分拡大図に示しているように、パイロット弁６４がＯリング６２から図中上向きに離間した状態で、即ちＯリング６２との間に間隙を形成した状態で開弁状態となる。
【００３０】
このパイロット弁６４の開弁状態の下で、パイロット水路３８はシャワーヘッド１０内部の主水路２６に開放された状態となり、パイロット水路３８内の水が主水路２６へと流入する。
即ち、図３に示す上記の背圧室３２内の水が、パイロット水路３８を通じて図２のシャワーヘッド１０内の主水路２６内へと流入し、ここにおいて背圧室３２の水の圧力が低下する。
【００３１】
而して背圧室３２内の水の圧力が低下すると、図３のバルブユニット１４内の主弁２８が、主水路２６における主弁２８の上流側の給水圧力により開弁して主水路２６を開放し、ここにおいて主水路２６を通じシャワーヘッド１０のシャワー吐水口２０に給水が行われ、シャワー吐水口２０からシャワー吐水される。
【００３２】
一方パイロット弁６４が開弁状態から閉弁状態となり且つ閉弁状態に保持されると、その後導入小孔３６を通じて背圧室３２内に主水路２６の水（主弁２８よりも上流側の水）が導入されて背圧室３２の圧力が増大し、そしてその圧力が一定圧まで増大すると、背圧室３２の圧力で主弁２８が閉弁し、ここにおいて主水路２６が閉鎖されてシャワーヘッド１０のシャワー吐水口２０からの吐水が停止される。
【００３３】
図２において、６８は駆動軸で、シャワーヘッド１０における握り部１１の略中心部に図中上下方向、即ちシャワーヘッド１０の軸方向に向けて配置されており、この駆動軸６８の図中下端側の先端部に上記のパイロット弁６４が一体に構成されている。
駆動軸６８には、軸方向の中間部にフランジ部からなるばね受け７０が設けられており、このばね受け７０と、本体部５４に一体に構成されたばね受け７２との間にばね（圧縮コイルばね）７４が介装され、このばね７４によって駆動軸６８が、即ちその先端部に一体に構成されたパイロット弁６４が図中下向きの閉弁方向に付勢されている。
【００３４】
図１及び図２において、７６は使用者の握りの力を操作力として受けるグリップ操作部で、ここではグリップ操作部７６にて握り部１１の表面側の部分が構成されている。
このグリップ操作部７６は、図４（Ａ）に示しているように全体として円筒形状をなしている。即ちこの実施形態では、握り部１１の全周に亘ってグリップ操作部７６が設けられている。
グリップ操作部７６は、シャワーヘッド１０の軸方向に長い長円筒形状とされている。
尚この実施形態では、グリップ操作部７６が握り部１１の全周長に亘って設けられているが、場合によってグリップ操作部７６を周方向に部分的に設けておくことも可能である。但しその場合、グリップ操作部７６の周長が、握り部１１の全周長に対して１／３以上の比率となるように設けておくことが望ましい。
尚、ここではグリップ操作部７６の径方向の肉厚は３ｍｍである。
図４（Ａ）に示しているように、このグリップ操作部７６は半円筒形状をなす２つの半体７６-１，７６-２に分割されており、それぞれが図中左右方向に微小距離移動可能とされている。
【００３５】
半体７６-１，７６-２のそれぞれには、図２中上下方向の軸方向各端部に、軸方向にＬ字状に折れ曲がった形態の係止部７８が設けられており、それら係止部７８が、本体部５４に設けられた保持溝８０内に図中左右方向に上記微小距離移動可能に保持されている。
これら半体７６-１，７６-２は、各係止部７８が本体部５４の被係止部８２に係止することで、本体部５４から外れ防止される。
【００３６】
半体７６-１，７６-２はまた、図４（Ａ）に示しているように周方向の各端部に薄肉の重合部８４，８６を有している。
半体７６-１，７６-２は、これら重合部８４，８６を径方向に重合させた状態を維持しつつ、図４（Ａ）中左右方向に上記微小距離移動する。
【００３７】
グリップ操作部７６におけるこれら一対の半体７６-１，７６-２のそれぞれは、図２に示しているようにばね（圧縮コイルばね）９０にて互いに離間する方向に付勢されており、従って半体７６-１，７６-２は、通常時はそれぞれの係止部７８を本体部５４の被係止部８２に係止させた状態、つまり互いに最大限径方向に離間した状態に保持される。
【００３８】
これら半体７６-１，７６-２のそれぞれからは、軸９２がシャワーヘッド１０の中心部に向って、本体部５４の挿通孔９６を挿通して径方向内方に延び出している。
これら軸９２は、図４に示しているように先端側の部分が互いに逆方向にＬ字状に屈曲しており、そしてそれぞれの先端部に傾斜形状のカム面９４が設けられている。
尚、各軸９２と本体部５４との間はＯリング９８にて水密にシールされている。
【００３９】
一方駆動軸６８の図中上部には、一対の突出部１００が互いに逆向きに設けられている。
これら突出部１００にもまた、図２に示しているように上記軸９２のカム面９４に対応したカム面１０２が設けられている。
これらカム面９４と１０２とは同一角度の傾斜面とされている。
【００４０】
図２に示しているように、軸９２のカム面９４と駆動軸６８側のカム面１０２とは、グリップ操作部７６における一対の半体７６-１，７６-２が最も離間した状態の下で互いに接触せしめられており、駆動軸６８に加えられているばね７４の付勢力が、カム面９４にて、即ち一対の軸９２にて受けられている。
【００４１】
この実施形態では、使用者が握り部１１の表面側の部分を構成するグリップ操作部７６を手で握り、内向きの力（握りの力）を操作力として加えると、詳しくは一対の半体７６-１，７６-２を径方向外向きに付勢しているばね９０の付勢力、及び軸６８の先端部のパイロット弁６４を閉弁方向に付勢しているばね７４の付勢力に打ち勝つだけの力、即ちばね９０，７４の付勢力によって定まる設定以上の大きさの操作力を加えると、一対の半体７６-１，７６-２が互いに接近する方向に移動する。
このとき半体７６-１，７６-２に設けられた軸９２もまた一体に径方向内向きに移動する。
【００４２】
而して軸９２が径方向内方に移動すると、カム面９４，１０２のカム作用で、図５に示すように軸６８がばね７４の図中下向きの付勢力に打ち勝って上方に持ち上げられ、パイロット弁６４がパイロット弁座６０のＯリング６２から離れて開弁する。
そしてパイロット弁６４の開弁によって、図５の主弁２８が開弁し、シャワーヘッド１０のシャワー吐水口２０に主水路２６を通じて給水が行われ、吐水口２０からシャワー吐水される。
【００４３】
即ちここでは一対の半体７６-１，７６-２に設けられた軸９２、駆動軸６８に設けられた一対の突出部１００、及びそれぞれに設けられたカム面９４，１０２から成るカム機構が、グリップ操作部７６の押込みによる移動をパイロット弁６４の開弁方向の移動に変換する運動変換機構を構成している。
この実施形態では、使用者がグリップ操作部７６を手で握り、そこに操作力を加えている間、吐水口２０からシャワー吐水される。
【００４４】
一方グリップ操作部７６に加えていた操作力を除くと、ここにおいて一対の半体７６-１，７６-２が、ばね９０の付勢力で互いに離間する方向、即ち径方向外方に移動して操作前の原位置へと戻り、ここにおいて駆動軸６８がばね７４の付勢力で図中下側に移動して原位置に戻り、パイロット弁６４がパイロット弁座６０のＯリング６２に嵌合して、パイロット弁座６０との間を径方向に水密にシールし、閉弁状態となる。
ここにおいて主水路２６を通じてのシャワー吐水口２０への給水が停止し、シャワー吐水口２０からのシャワー吐水が停止する。
即ちこの実施形態では、使用者がグリップ操作部７６を握って操作力を加えている間だけシャワー吐水口２０からシャワー吐水され、グリップ操作部７６から使用者が手を離すと、詳しくはグリップ操作部７６に加えられていた操作力が設定以下になると、そこでシャワー吐水が自動的に停止する。
【００４５】
以上のような本実施形態のハンドシャワー装置では、使用者がシャワーヘッド１０を手に持ってこれを使用する際、単にシャワーヘッド１０の握り部１１を握って力を加えるだけで良く、従来のハンドシャワー装置のように特定の個所に設けた押ボタン操作部に指をかけて、これを操作するといったことを必要としない。
即ち一旦シャワーヘッド１０を手に取った後、吐水操作のためにシャワーヘッド１０を持ち換える必要がなく、手に取った握り部１１に即ちその表面側のグリップ操作部７６に力を加えるだけで、簡単に吐水操作を行うことができる。
また止水に際しては、単に握り部１１から手を離すだけで自動的に止水を行うことができる。
従って、例えば洗髪中など目を瞑った状態の下でも、単にシャワーヘッド１０の握り部１１を握って力を加えたり握り部から手を離すだけでシャワー吐水口２０からの吐止水を行うことができ、更に指の不自由な人であっても支障無くシャワーヘッド１０を手に持って吐止水操作を行うことができ、使い勝手良くハンドシャワー装置を使用することができる。
【００４６】
また従来のハンドシャワー装置では、一旦押ボタン操作部を操作してシャワー吐水させると、その状態が保持されてシャワー水が吐水され続けるが、本実施形態のハンドシャワー装置では、シャワーヘッド１０から手を離すと自動的に吐水停止されるため、無駄にシャワー水を吐水し続けてしまうといったことを有効に防ぐことができ、節水を図ることができる。
【００４７】
尚、上記実施形態ではパイロット弁６４を円環状のパイロット弁座６０に嵌合させて、それらの間を径方向に水密にシールし、パイロット弁６０を閉弁させるようにしているが、図６に示しているようにプランジャ式のパイロット弁６４を、本体部５４に一体に設けたパイロット弁座６０に対して軸方向に着座させることで、パイロット弁６４を閉弁させるようになすこともできる。
尚、図中１０４はパイロット弁６４に備えた弾性を有するシール部材で、パイロット弁６４は、このシール部材１０４をパイロット弁座６０に着座させ、閉弁する。
【００４８】
図７及び図８は本発明の他の実施形態を示している。
この例は、パイロット弁６４を閉弁方向に付勢するばね７４の変位量を調節し、ばね７４によるパイロット弁６４の閉弁方向の付勢力を調節する調節機構１０６を、シャワーヘッド１０に組み込んだ例である。
この調節機構１０６は、ばね受け７２を一体に備え、シャワーヘッド１０の周方向、即ちシャワーヘッド１０の軸心周りに回転阻止された状態で、ねじ送りで図中上下方向即ちシャワーヘッド１０の軸方向に進退移動する円筒状の進退部材１０８と、シャワーヘッド１０の周方向に回転する回転式の調節操作部材１１０とを有している。
【００４９】
また調節操作部材１１０は、進退部材１０８に螺合し、弁座保持部５２を一体に備えた、全体として概略円筒状をなす第１部材１１２と、これを本体部５４に取り付ける取付部材としての第２部材１１４及び第３部材１１６と、ホース接続部材４６を第３部材１１６に取り付けるための第４部材１１８とを含んで構成され、それら全体が一体に回転するようになっている。
【００５０】
この実施形態では、調節操作部材１１０を回転操作すると、調節操作部材１１０の第１部材１１２と螺合された進退部材１０８がねじ送りで図中上下方向に進退移動する。
この進退部材１０８が図中上下方向に進退移動すると、これに伴ってばね受け７２が移動し、これによってパイロット弁６４を閉弁方向に付勢するばね７４の変位量が変化し（伸縮変化し）、パイロット弁６４に対するばね７４の付勢力が増減変化する。
即ちばね７４がその軸方向に収縮することで付勢力を強くし、また逆に軸方向に伸張することによって、パイロット弁６４に対する付勢力を弱くする。
【００５１】
而してばね７４の付勢力が強くなれば、パイロット弁６４を開弁させる際にグリップ操作部７６に加えるべき必要な操作力が大となる。
逆にばね７４の付勢力が弱くなれば、パイロット弁６４を開弁させる際にグリップ操作部７６に加えるべき必要な操作力が小さくなる。
【００５２】
従ってこの実施形態によれば、パイロット弁６４を開弁させるのに必要な、グリップ操作部７６に加えるべき操作力を適正な操作力に調節することができ、シャワー吐水の意図がないにも拘らずグリップ操作部７６を軽く持っただけで、特に握りの力を加えなくてもシャワー吐水してしまうといったことを防ぐことができ、ハンドシャワー装置を使用する際の使用感を良好とすることができる。
また握力の強い人と弱い人、それぞれに応じて所要の操作力を使用者それぞれに応じた最適の操作力に調節することができる。
【００５３】
図９は本発明の更に他の実施形態を示している。
この例は、駆動軸６８にマグネット１２０を設けておき、グリップ操作部７６の押込操作によって、マグネット１２０と対をなす一対のマグネット１２２，１２２を径方向内方に移動させ、そしてそれらマグネット１２０とマグネット１２２との間の磁気的な反発力で駆動軸６８を図中上向きに持ち上げ、パイロット弁６４を開弁させるようになした例である。
ここでマグネット１２０と１２２とは、それらが径方向に接近したときに磁気的な反発力を生じるように、それぞれの磁極の向きが予め定められている。
【００５４】
この実施形態では、グリップ操作部７６に押込みの操作力を加えている間だけパイロット弁６４が開弁し、シャワー吐水口２０からシャワー吐水される一方、グリップ操作部７６に加えていた操作力を除くと、グリップ操作部７６が径方向外方に移動して原位置に戻り、ここにおいてマグネット１２０に対するマグネット１２２の磁気的な反発力が実質的に及ばなくなってパイロット弁６４が閉弁し、シャワー吐水口２０からのシャワー吐水が停止する。
【００５５】
尚、駆動軸６８側のマグネット１２０の位置を図９に示すものよりも下方位置に配置しておき、グリップ操作部７６を押込操作したときに、マグネット１２０とマグネット１２２との間の磁気的な吸引力でパイロット弁６４を開弁させるようにしても良い。
但しこの場合にはマグネット１２０とマグネット１２２との間に磁気的な吸引力が働くように、それぞれの磁極の向きを定めておく。
更に磁気的な吸引力でパイロット弁６４を開弁させるに際し、駆動軸６８の少なくとも図中上部を磁性材で構成しておき、その磁性材とマグネット１２２との間の磁気的な吸引力で、パイロット弁６４を開弁させるようにしても良い。
【００５６】
図１０及び図１１は本発明の更に他の実施形態を示している。
この例は、グリップ操作部７６の押込みによってオン動作するスイッチ１２４をシャワーヘッド１０側に設けて、スイッチ１２４を配線１２５にて制御基板１２６に接続し、スイッチ１２４のオン動作により電磁コイル１２８に通電して励磁し、これにより磁性材にて構成したプランジャ式のパイロット弁６４を、図１１に示しているように図中上向きに吸引し開弁させてパイロット水路３８を開き、ダイヤフラム弁から成る主弁２８を開弁させて、主水路２６を通じシャワー吐水口２０に給水し、シャワー吐水させるようになした例である。
【００５７】
この例において、スイッチ１２４はグリップ操作部７６にて押されたときにオン動作し、グリップ操作部７６への操作力が解除されてグリップ操作部７６が径方向外方に移動し、スイッチ１２４から離れることでオフ動作する。
制御基板１２６は、そのオフ信号によって電磁コイル１２８への通電を停止する。
ここにおいてプランジャ式のパイロット弁６４が閉弁してパイロット水路３８を閉じ、主水路２６を通じてのシャワー吐水口２０への給水を停止する。即ちシャワー吐水口２０からのシャワー吐水を停止させる。
【００５８】
図１２は本発明の更に他の実施形態を示している。
図１０及び図１１の実施形態では、スイッチ１２４を配線１２５で制御基板１２６に接続して、スイッチ１２４からのオン信号を配線１２５を通じて送るようにしているが、この図１２の実施形態は、スイッチ１２４のオン信号を無線信号で制御基板１２６に発信するようになした例である。
ここで無線信号としては電波，光信号或いは超音波信号その他であっても良い。
【００５９】
以上本発明の実施形態を詳述したがこれはあくまで一例示である。
例えば上記実施形態では何れも使用者の握りの力を操作力としてグリップ操作部７６を径方向内方に押込移動させるようになしているが、グリップ操作部７６に操作力が加えられたとき、その力を圧力センサその他にてグリップ操作部７６を移動させることなく感知し、その感知に基づいてパイロット弁を開弁させるようになすことも可能である。
また上記実施形態ではグリップ操作部７６を全体として円筒状となして、これを２つの半円筒体に２分割しているが、場合によってこれを９０°ごと４つの分割体に分割するといったことも可能である等、本発明はその趣旨を逸脱しない範囲において種々変更を加えた形態で構成可能である。
【符号の説明】
【００６０】
１０  シャワーヘッド
１１  握り部
１２  シャワーホース
２０  シャワー吐水口
２６  主水路
２８  主弁
３２  背圧室
３６  導入小孔
３８  パイロット水路
６４  パイロット弁
６８  駆動軸
７４，９０  ばね
７６  グリップ操作部
９２  軸
９４，１０２  カム面
１００  突出部
１０６  調節機構
１０８  進退部材
１１０  調節操作部材
【図１】
2013215454.tif 000003
【図２】
2013215454.tif 000004
【図３】
2013215454.tif 000005
【図４】
2013215454.tif 000006
【図５】
2013215454.tif 000007
【図６】
2013215454.tif 000008
【図７】
2013215454.tif 000009
【図８】
2013215454.tif 000010
【図９】
2013215454.tif 000011
【図１０】
2013215454.tif 000012
【図１１】
2013215454.tif 000013
【図１２】
2013215454.tif 000014